【手続補正書】
【提出日】平成21年6月25日(2009.6.25)
【手続補正１】
【補正対象書類名】特許請求の範囲
【補正対象項目名】全文
【補正方法】変更
【補正の内容】
【特許請求の範囲】
【請求項１】
レーザ光を透過する光学部材、レーザ光を透過する熱溶融部材、レーザ光を透過する間隔調整部材、レーザ光が照射されることで発熱する保持部材の順で配置され、
前記間隔調整部材と前記保持部材との間に、前記光学部材、前記熱溶融部材および前記間隔調整部材を透過したレーザ光の照射によって前記保持部材が発熱することで、前記間隔調整部材と前記保持部材とが溶着された第１の溶着部が形成されており、
前記間隔調整部材と前記光学部材との間に、前記保持部材からの熱が伝播することによって熱溶融した前記熱溶融部材による第２の溶着部が形成されていることを特徴とする光学機器。
【請求項２】
前記間隔調整部材と前記保持部材は同一材料で形成されていることを特徴とする請求項１に記載の光学機器。
【請求項３】
前記保持部材は、赤外線レーザ光に対する吸収性を有することを特徴とする請求項１に記載の光学機器。
【請求項４】
レーザ光を透過する光学部材、レーザ光を透過する第１の熱溶融部材、レーザ光を透過する間隔調整部材、レーザ光が照射されることで発熱する第２の熱溶融部材、保持部材の順で配置され、
前記間隔調整部材と前記保持部材との間に、前記光学部材、前記第１の熱溶融部材および前記間隔調整部材を透過したレーザ光の照射により熱溶融した前記第２の熱溶融部材による第１の溶着部が形成されており、
前記間隔調整部材と前記光学部材との間に、前記第２の熱溶融部材からの熱が伝播することによって熱溶融した前記第１の熱溶融部材による第２の溶着部が形成されていることを特徴とする光学機器。
【請求項５】
前記第２の熱溶融部材は、赤外線レーザ光に対する吸収性を有することを特徴とする請求項４に記載の光学機器。
【請求項６】
レーザ光を透過する第１の光学部材、レーザ光が照射されることで発熱する第１の熱溶融部材、レーザ光を透過する間隔調整部材、レーザ光が照射されることで発熱する第２の熱溶融部材、レーザ光を透過する第２の光学部材の順で配置され、
前記間隔調整部材と前記第１の光学部材との間に、前記第１の光学部材を透過したレーザ光の照射により熱溶融した前記第１の熱溶融部材による第１の溶着部が形成されており、
前記間隔調整部材と前記第２の光学部材との間に、前記間隔調整部材を透過したレーザ光の照射により熱溶融した前記第２の熱溶融部材により第２の溶着部が形成されていることを特徴とする光学機器。
【請求項７】
前記間隔調整部材の両側において、前記第１の熱溶融部材と前記第２の熱溶融部材とが異なる周方向領域に配置されていることを特徴とする請求項６に記載の光学機器。
【請求項８】
前記第１及び第２の熱溶融部材は、赤外線レーザ光に対する吸収性を有することを特徴とする請求項６に記載の光学機器。
【請求項９】
レーザ光を透過する光学部材、レーザ光を透過する熱溶融部材、レーザ光を透過する間隔調整部材、及びレーザ光が照射されることで発熱する保持部材をこの順に配置するステップと、
前記光学部材に向けてレーザ光を照射する接合ステップとを含み、
前記接合ステップでは、前記間隔調整部材と前記保持部材との間に、前記光学部材、前記熱溶融部材および前記間隔調整部材を透過したレーザ光による前記保持部材が発熱することで、前記間隔調整部材と前記保持部材とを溶着する第１の溶着部を形成し、かつ前記間隔調整部材と前記光学部材との間に、前記保持部材からの熱が伝播することによって熱溶融した前記熱溶融部材による第２の溶着部を形成することを特徴とする光学機器の製造方法。
【請求項１０】
レーザ光を透過する光学部材、レーザ光を透過する第１の熱溶融部材、レーザ光を透過する間隔調整部材、レーザ光が照射されることで発熱する第２の熱溶融部材、及び保持部材をこの順に配置するステップと、
前記光学部材に向けてレーザ光を照射する接合ステップとを含み、
前記接合ステップでは、前記間隔調整部材と前記保持部材との間に、前記光学部材、前記第１の熱溶融部材および前記間隔調整部材を透過したレーザ光の照射により熱溶融した前記第２の熱溶融部材による第１の溶着部を形成し、
前記間隔調整部材と前記光学部材との間に、前記第２の熱溶融部材からの熱が伝播することにより熱溶融した前記第１の熱溶融部材による第２の溶着部を形成することを特徴とする光学機器の製造方法。
【請求項１１】
レーザ光を透過する第１の光学部材、レーザ光が照射されることで発熱する第１の熱溶融部材、レーザ光を透過する間隔調整部材、レーザ光が照射されることで発熱する第２の熱溶融部材、及びレーザ光を透過する第２の光学部材をこの順で配置するステップと、
前記第１及び第２の光学部材に向けてレーザ光を照射する接合ステップとを含み、
前記接合ステップでは、前記間隔調整部材と前記第１の光学部材との間に、前記第１の光学部材を透過したレーザ光の照射により熱溶融した前記第１の熱溶融部材による第１の溶着部を形成し、かつ前記間隔調整部材と前記第２の光学部材との間に、前記間隔調整部材を透過したレーザ光の照射により熱溶融した前記第２の熱溶融部材により第２の溶着部を形成することを特徴とする光学機器の製造方法。
【手続補正２】
【補正対象書類名】明細書
【補正対象項目名】発明の名称
【補正方法】変更
【補正の内容】
【発明の名称】光学機器及び光学機器の製造方法
【手続補正３】
【補正対象書類名】明細書
【補正対象項目名】０００１
【補正方法】変更
【補正の内容】
【０００１】
本発明は、例えば、レンズ等の光学部材を保持枠や他のレンズに固定する技術に関する。
【手続補正４】
【補正対象書類名】明細書
【補正対象項目名】００１７
【補正方法】変更
【補正の内容】
【００１７】
そこで、本発明は、レーザの照射条件を変更することなく、光学部材と保持部材もしくは光学部材同士の間隔調整を可能にして、固定時間の短縮化及び位置精度の高精度化を低コストで実現することを目的とする。
【手続補正５】
【補正対象書類名】明細書
【補正対象項目名】００１８
【補正方法】変更
【補正の内容】
【００１８】
上記目的を達成するために、本発明の光学機器は、レーザ光を透過する光学部材、レーザ光を透過する熱溶融部材、レーザ光を透過する間隔調整部材、レーザ光が照射されることで発熱する保持部材の順で配置され、前記間隔調整部材と前記保持部材との間に、前記光学部材、前記熱溶融部材および前記間隔調整部材を透過したレーザ光の照射によって前記保持部材が発熱することで、前記間隔調整部材と前記保持部材とが溶着された第１の溶着部が形成されており、前記間隔調整部材と前記光学部材との間に、前記保持部材からの熱が伝播することによって熱溶融した前記熱溶融部材による第２の溶着部が形成されていることを特徴とする。
【手続補正６】
【補正対象書類名】明細書
【補正対象項目名】００１９
【補正方法】変更
【補正の内容】
【００１９】
また、本発明の光学機器は、レーザ光を透過する光学部材、レーザ光を透過する第１の熱溶融部材、レーザ光を透過する間隔調整部材、レーザ光が照射されることで発熱する第２の熱溶融部材、保持部材の順で配置され、前記間隔調整部材と前記保持部材との間に、前記光学部材、前記第１の熱溶融部材および前記間隔調整部材を透過したレーザ光の照射により熱溶融した前記第２の熱溶融部材による第１の溶着部が形成されており、前記間隔調整部材と前記光学部材との間に、前記第２の熱溶融部材からの熱が伝播することによって熱溶融した前記第１の熱溶融部材による第２の溶着部が形成されていることを特徴とする。
【手続補正７】
【補正対象書類名】明細書
【補正対象項目名】００２０
【補正方法】変更
【補正の内容】
【００２０】
さらに、本発明の光学機器は、レーザ光を透過する第１の光学部材、レーザ光が照射されることで発熱する第１の熱溶融部材、レーザ光を透過する間隔調整部材、レーザ光が照射されることで発熱する第２の熱溶融部材、レーザ光を透過する第２の光学部材の順で配置され、前記間隔調整部材と前記第１の光学部材との間に、前記第１の光学部材を透過したレーザ光の照射により熱溶融した前記第１の熱溶融部材による第１の溶着部が形成されており、前記間隔調整部材と前記第２の光学部材との間に、前記間隔調整部材を透過したレーザ光の照射により熱溶融した前記第２の熱溶融部材により第２の溶着部が形成されていることを特徴とする。
【手続補正８】
【補正対象書類名】明細書
【補正対象項目名】００３１
【補正方法】変更
【補正の内容】
【００３１】
図２は本発明の第１の実施の形態である光学機器の製造方法を説明するためのレンズ固定部を示す断面図、図３は図２の分解図である。図４は赤外線レーザの照射によるレーザ溶着部を模式的に示す図、図５はレンズとレンズ枠との間隔調整を行った後の赤外線レーザの照射によるレーザ溶着部を模式的に示す図、図６は本発明の第１の実施の形態の変形例を模式的に示す図である。
【手続補正９】
【補正対象書類名】明細書
【補正対象項目名】００３２
【補正方法】変更
【補正の内容】
【００３２】
本発明の第１の実施の形態である光学機器の製造方法は、図２及び図３に示すように、レンズ１０とレンズ枠（保持部材）１との間にホットメルトシート１２（熱溶融部材）及びレーザ透過シート１３（間隔調整部材）を配置する。
【手続補正１０】
【補正対象書類名】明細書
【補正対象項目名】００７６
【補正方法】変更
【補正の内容】
【００７６】
次に、図７〜図１５を参照して、本発明の第２の実施の形態である光学機器の製造方法を説明する。
【手続補正１１】
【補正対象書類名】明細書
【補正対象項目名】００７７
【補正方法】変更
【補正の内容】
【００７７】
図７及び図８は本発明の第２の実施の形態である光学機器の製造方法を説明するためのレンズ固定部を示す断面図、図９及び図１０は図７のレンズ群の分解斜視図、図１１はレーザ透過シートの平面図である。図１２は図７のＡ部での赤外線レーザの照射によるレーザ溶着部を模式的に示す図、図１３は図７のＢ部での赤外線レーザの照射によるレーザ溶着部を模式的に示す図である。図１４は図８のＣ部での赤外線レーザの照射によるレーザ溶着部を模式的に示す図、図１５は図８のＤ部では赤外線レーザが照射されないことを模式的に示す図である。なお、上記第１の実施の形態と重複する部分については、説明を省略する。
【手続補正１２】
【補正対象書類名】明細書
【補正対象項目名】００７８
【補正方法】変更
【補正の内容】
【００７８】
本発明の第２の実施の形態である光学機器の製造方法は、図７及び図９に示すように、レンズ２１とレンズ２０との間に、両面にホットメルト剤が塗布或いは印刷されたリング状の接着シート２４を配置する。